(57)【要約】  【課題】  ＤＶＤ等のデジタル記録メディアにおいても、記録したコンテンツ内の所望の映像を探すためには、当該コンテンツの早送り／巻き戻しの操作が必要であるが、早送り／巻き戻し再生の速度は、機器によって固定されており、対象となるコンテンツによっては、固定された速度では速すぎたり遅すぎたりして、目的とする映像を探し難い場合があるという課題がある。  【解決手段】  本発明は、かかる実情に鑑み、コンテンツごとに最適な早送り／巻き戻し再生速度での処理を可能とするコンテンツ再生装置を提案する。コンテンツの記録時間長情報などに基づいて算出した最適速度による早送り／巻き戻し再生を行い、また、最適速度の算出にかかわるパラメータを視聴者が設定することにより、視聴者各自がコンテンツ内の映像を探しやすい早送り／巻き戻し再生速度での処理を行うことができる。【選択図】            図２
2006196052.tif 000002
【特許請求の範囲】
【請求項１】
コンテンツ取得部と、
前記コンテンツ取得部で取得したコンテンツの通常速度での再生を行うための通常再生部と、
前記コンテンツ取得部で取得したコンテンツを早送りしながら再生し、又は、巻き戻ししながら再生するための早送巻戻再生部と、
前記コンテンツ取得部で取得したコンテンツの記録時間長情報を取得する記録時間長情報取得部と、
前記記録時間長情報に基づいて前記早送巻戻再生部での再生速度を制御する速度制御部と、
を有するコンテンツ再生装置。
【請求項２】
前記通常再生部での再生を行っているコンテンツの再生時間位置情報を取得する再生時間位置情報取得部を有し、
前記速度制御部は、コンテンツの早送り、又は、巻き戻しを開始する際に通常速度での再生を行っていた場合に、その通常速度での再生が開始された時間位置情報である第一再生時間位置情報にも基づいて前記制御を行う請求項１に記載のコンテンツ再生装置。
【請求項３】
前記通常再生部での再生を行っているコンテンツの再生時間位置情報を取得する再生時間位置情報取得部を有し、
前記速度制御部は、コンテンツの早送り、又は、巻き戻しを開始する際に通常速度での再生を行っていた場合に、その通常速度での再生が終了した時間位置情報である第二再生時間位置情報にも基づいて前記制御を行う請求項１又は２に記載のコンテンツ再生装置。
【請求項４】
前記早送巻戻再生部での早送り、又は、巻戻しを行っているコンテンツの時間位置情報である早送巻戻時間位置情報を取得する早送巻戻時間位置情報取得部を有し、
前記速度制御部は、前記早送巻戻時間位置情報にも基づいて前記制御を行う請求項１に記載のコンテンツ再生装置。
【請求項５】
前記速度制御部は、早送再生の速度を制御するための早送再生速度制御手段と、
巻戻再生の速度を制御するための巻戻再生速度制御手段とを有し、
前記早送再生速度制御手段は、早送再生によって再生可能な記録時間長である早送再生可能記録時間長に基づいて、前記巻戻再生速度制御手段は、巻戻再生によって再生可能な記録時間長である巻戻再生可能記録時間長にも基づいて前記制御を行う請求項１から４のいずれか一に記載のコンテンツ再生装置。
【請求項６】
前記速度制御部は、
速度制御パラメータを取得する速度制御パラメータ取得手段と、
前記速度制御パラメータにも基づいて前記制御を行うパラメータ依存制御手段と、
を有する請求項１から５のいずれか一に記載のコンテンツ再生装置。
【請求項７】
前記コンテンツの記録時間長に代えて、コンテンツの部分的記録時間長を用いる請求項１から６のいずれか一に記載のコンテンツ再生装置。
【請求項８】
コンテンツ取得ステップと、
前記コンテンツ取得ステップで取得したコンテンツの記録時間長情報を取得する記録時間長情報取得ステップと、
前記コンテンツ取得ステップで取得したコンテンツを早送りしながら再生し、又は、巻き戻ししながら再生するための早送巻戻再生ステップと、
前記記録時間長情報に基づいて早送巻戻の再生速度を制御する速度制御ステップと、
を有するコンテンツ再生方法。
【発明の詳細な説明】
【技術分野】
【０００１】
本発明は、コンテンツ再生装置に関するものである。
【背景技術】
【０００２】
映像／音声信号の記録に関しては、従来のＶＴＲ等を用いてアナログ信号を記録する方式に代わり、デジタル信号をハードディスクドライブ（ＨＤＤ）やＤＶＤなどのデジタル記録装置に記録するシステムが普及してきている。
【０００３】
ＤＶＤなどのデジタル記録メディアは、ランダムアクセスにより、任意のデータの読み出しが可能である。そのため、記録したコンテンツの頭出しなどの操作は、テープメディアに比べ、はるかに容易に行えるようになったが、コンテンツ内で目的の映像を探し出すためには、従来と同様に、当該のコンテンツの早送り、もしくは巻き戻しといった操作が必要である。
【特許文献１】特開２００４−１７８６４３号公報
【発明の開示】
【発明が解決しようとする課題】
【０００４】
しかしながら、従来のコンテンツ再生装置では、早送り／巻き戻し再生の速度は、機器により固定されており、対象となるコンテンツによっては、その速度では速すぎてあっという間に終わってしまったり、遅すぎてなかなか目的の映像にたどりつかなかったりして、目的の映像を探すことが難しい場合がある。
【０００５】
コンテンツ内の映像を容易に探し出せるようにするためには、当該コンテンツに最適な速度での早送り／巻き戻し再生を行えるようにする必要がある。
【課題を解決するための手段】
【０００６】
本発明は、かかる実情に鑑み、コンテンツごとに最適な早送り／巻き戻し再生速度での処理を可能とするコンテンツ再生装置を提案する。
【０００７】
このコンテンツ再生装置は、コンテンツの記録時間長に基づいて算出した最適速度により早送り／巻き戻し再生を制御するものである。
【０００８】
また、コンテンツの視聴箇所に基づいて設定した早送り／巻き戻し再生速度による制御を行うことも可能であり、最適速度を算出するためのパラメータを視聴者が設定できるようにすることも可能である。
【発明の効果】
【０００９】
本発明のコンテンツ再生装置においては、記録されたコンテンツ内の所望の映像を探すために早送り／巻き戻しの操作を行う場合に、コンテンツに最適な速度での再生を行うことが可能となり、サーチ作業を効率的に行うことができる。
【００１０】
また、視聴者が、早送り／巻き戻し再生速度算出に関するパラメータを設定することにより、各自の好みに合わせた速度設定を行うことが可能になる。
【発明を実施するための最良の形態】
【００１１】
以下に、各発明を実施するための最良の形態を説明する。なお、本発明はこれら実施の形態に何ら限定されるものではなく、その要旨を逸脱しない範囲において、種々なる態様で実施しうる。
【００１２】
実施形態１は、主に請求項１，８等について説明する。実施形態２は、主に請求項２等について説明する。実施形態３は、主に請求項３等について説明する。実施形態４は、主に請求項４等について説明する。実施形態５は、主に請求項５等について説明する。実施形態６は、主に請求項６等について説明する。実施形態７は、主に請求項７等について説明する。
【００１３】
<<実施形態１>>
<実施形態１の概要>
本実施形態は、コンテンツごとに最適な速度での早送り／巻き戻し再生を可能とするコンテンツ再生装置である。
【００１４】
図１は、本実施形態の概念の一例を示すものである。コンテンツの早送り／巻き戻し再生時、それぞれのコンテンツの記録時間長情報に基づいて、速度を設定して制御を行うため、各コンテンツに最適の速度で全体をサーチできる。
【００１５】
<実施形態１の構成>
本実施形態の機能ブロックの一例を図２に示す。図２に示す本実施形態の「コンテンツ再生装置」（０２００）は、「コンテンツ取得部」（０２１０）と、「通常再生部」（０２２０）と、「早送巻戻再生部」（０２３０）と、「記録時間長情報取得部」（０２４０）と、「速度制御部」（０２５０）とからなる。
【００１６】
「コンテンツ取得部」（０２１０）は、ＨＤＤやＤＶＤなどのデジタル記録装置から、再生するコンテンツ情報を取得するために設けられる。コンテンツ情報としては、コンテンツの映像／音声情報、および、コンテンツ名、記録日時、記録時間長などのコンテンツ管理情報が含まれる。なお、コンテンツ取得部として、放送された映像／音声情報をＨＤＤにデジタル記録する機能を含む実施形態も考えられる。その場合のコンテンツ取得部の機能ブロックの一例を図３に示す。アナログ放送アンテナで受信されたアナログ放送信号が、アナログチューナー（０３１０）に供給される。アナログチューナーで復調された信号はＭＰＥＧエンコーダ（０３２０）によってＭＰＥＧ方式のデジタル信号に変換されてＨＤＤ（０３３０）に記録される。デジタル放送信号の場合には、デジタル放送アンテナで受信され、デジタルチューナー（０３４０）に供給される。デジタルチューナーで復調された信号は、ＭＰＥＧ方式のデジタル信号となっているため、そのままＨＤＤ（０３３０）に記録される。どちらの場合にも、映像／音声情報とともに、コンテンツ管理情報も同時に記録される。コンテンツ取得部は、ＨＤＤ（０３３０）に記録された情報をコンテンツ情報として取得する。なお、ＭＰＥＧ方式のデジタル信号は、モニター出力時、ＭＰＥＧデコーダによって復号されるものとする。
【００１７】
「通常再生部」（０２２０）は、前記コンテンツ取得部で取得したコンテンツの通常速度での再生を行うために設けられる。コンテンツを視聴するための再生処理である。
【００１８】
「早送巻戻再生部」（０２３０）は、前記コンテンツ取得部で取得したコンテンツを、早送りしながら再生し、または、早送りしながらかつ巻き戻しながら再生するために設けられる。目的とする映像を探すための、再生処理である。
【００１９】
「記録時間長情報取得部」（０２４０）は、前記コンテンツ取得部で取得したコンテンツの記録時間長情報を取得するために設けられる。ここで、「記録時間長情報」とは、コンテンツ全体の記録時間を示す情報であり、この記録時間長情報に基づいて、早送り／巻き戻し再生速度を設定する。
【００２０】
「速度制御部」（０２５０）は、前記記録時間長情報に基づいて、前記早送巻戻再生部での再生速度を制御するために設けられる。コンテンツの記録時間長情報により、各コンテンツに最適の早送り／巻き戻し再生速度を設定し、その速度で早送り／巻き戻し再生が行われるように制御するものである。
【００２１】
<実施形態１の具体例の説明>
本実施形態の具体例をあげて説明する。図４に本実施形態の具体的機能ブロックの一例を示す。このコンテンツ再生装置では、各コンテンツの記録時間長に適する早送り／巻き戻し再生速度をあらかじめ規定する。例としては、
・コンテンツの記録時間長にかかわらず、全体を一定の時間で再生する、すなわち、
コンテンツ全体の早送り／巻き戻し再生時間（サーチ時間）として、１０分、２０分
などと一定の時間を規定する
・コンテンツの記録時間長によって、再生にかける時間を変更する、すなわち、
２時間以上のコンテンツであれば１０分、それ以下のコンテンツについては５分など
と規定する
などが考えられる。
【００２２】
ここでは、コンテンツ全体のサーチ時間を５分とするように制御する例を示す。すなわち、各コンテンツの記録時間長を分単位で表し、Ｔ（分）とすると、早送り／巻き戻し再生速度は、通常再生の  Ｔ／５倍となるように制御される。
【００２３】
コンテンツ取得部（０４１０）は、視聴するコンテンツ情報を、格納してあるＨＤＤ、ＤＶＤなどのデジタル記録装置から取得する。
【００２４】
記録時間長情報取得部（０４４０）は、前記コンテンツ取得部が取得したコンテンツの管理情報より、コンテンツ全体の記録時間である記録時間長情報を取得する。
【００２５】
一例として、２時間の映画を視聴する場合を考えると、ここで取得する記録時間長情報は１２０分である。速度制御部（０４５０）は、取得された１２０分という記録時間長により、早送り／巻き戻し再生速度を求める。早送り／巻き戻し再生速度は、
１２０／５＝２４
となり、２４倍速での早送り／巻き戻し再生を行うように、早送巻戻再生部（０４３０）を制御する。
【００２６】
早送巻戻再生部（０４３０）は、前記コンテンツ取得部が取得したコンテンツの内容を、速度制御部（０４５０）の制御により、２４倍速で再生する。速度制御の方式としては、例えば、デジタル信号を各映像フレームの開始位置から読み出すものとし、何枚毎にフレームを読み出すかに早送り／巻き戻しの倍率を用いることによって制御を行うこと等が考えられる。視聴者は、この速度での早送り／巻き戻し再生により目的とする映像をサーチし、所望の映像を見つけたら、通常の視聴を指示する。
【００２７】
通常再生部（０４２０）は、前記コンテンツ取得部が取得したコンテンツの映像・音声情報を通常速度において再生する。
【００２８】
<実施形態１の処理の流れ>
図５は、実施形態１での処理の流れの一例を示したものである。本実施形態におけるコンテンツ再生方法は、以下に示すステップよりなる。最初に、視聴するコンテンツ情報を取得するための処理を行う（コンテンツ取得ステップ  Ｓ０５１０）。次に、前記コンテンツ取得ステップで取得したコンテンツの記録時間長情報を取得するための処理を行う（記録時間長情報取得ステップ  Ｓ０５２０）。次に、前記記録時間長情報に基づいて、早送り／巻き戻し再生速度を制御するための処理を行い（速度制御ステップ  Ｓ０５３０）、前記コンテンツ取得ステップで取得したコンテンツを早送りしながら再生し、又は、巻き戻ししながら再生するための処理を行う（早送巻戻再生ステップ  Ｓ０５４０）。
【００２９】
<実施形態１の効果>
本発明のコンテンツ再生装置においては、記録されたコンテンツ内の所望の映像を探すために早送り／巻き戻しの操作を行う場合に、各コンテンツに最適な速度での再生を行うことが可能となる。このため、各コンテンツに関するサーチ作業において、再生速度が速すぎてあっという間に終わってしまったり、遅すぎてなかなか目的の映像にたどりつかなかったりすることがなく、効率的な作業を行うことができる。
【００３０】
<<実施形態２>>
<実施形態２の概要>
本実施形態は、通常再生により視聴中のコンテンツに関して、早送り／巻き戻しにより映像をサーチする場合に、当該のコンテンツに最適な速度を設定して制御を行うコンテンツ再生装置である。コンテンツの通常再生開始時の時間位置にも基づいて制御を行うため、コンテンツ全体の記録時間長にかかわらず、再生すべき映像の時間長に対応した処理が行えるので、より、効率的な作業が行える。
【００３１】
<実施形態２の構成>
本実施形態の機能ブロックの一例を図６に示す。図６に示す本実施形態の「コンテンツ再生装置」（０６００）は、「コンテンツ取得部」（０６１０）と、「通常再生部」（０６２０）と、「早送巻戻再生部」（０６３０）と、「記録時間長情報取得部」（０６４０）と、「再生時間位置情報取得部」（０６５０）と、「速度制御部」（０６６０）とからなる。
【００３２】
前記「再生時間位置情報取得部」（０６５０）を除いた構成は、実施形態１と共通であり、本実施形態は、コンテンツの通常再生開始時点での時間位置情報にも基づいて、最適の早送り／巻き戻し再生速度を求めることを特徴とする。
【００３３】
「再生時間位置情報取得部」（０６５０）は、前記通常再生部（０６２０）での再生を行っているコンテンツの再生時間位置情報を取得するために設けられる。ここで、「再生時間位置情報」とは、再生を行っている映像がコンテンツ内のどの時点のものであるかを示す情報である。例えば、コンテンツの先頭から何分後の時点であるか、又は、コンテンツ全体の記録情報の何パーセントの時点であるか等で表すことが考えられる。本実施形態においては、コンテンツの早送り、または、巻き戻しを開始する際に通常速度での再生を行っていた場合に、その通常速度での再生が開始された時点での再生時間位置情報を第一再生時間位置情報として、再生時間位置情報取得部（０６５０）によって取得する。
【００３４】
前記速度制御部（０６６０）は、第一再生時間位置情報にも基づいて、前記早送巻戻再生部（０６３０）での再生速度の制御を行う。
【００３５】
<実施形態２の具体例の説明>
例えば、途中まで視聴していたコンテンツを続きから再生する場合、コンテンツ全体の記録時間長情報に基づいて早送り／巻き戻し速度を設定すると、再生すべき記録は短いのに、速すぎる速度で早送り再生されてしまうようなことが考えられる。そこで、このコンテンツ再生装置では、コンテンツ全体の記録時間長情報からではなく、再生を開始した時点からの残りの記録時間長に基づいて、早送り／巻き戻し再生速度を設定するように制御する。ここでは、再生時間位置情報は、コンテンツ先頭からの通常再生による経過時間を分単位で表すものとし、コンテンツの再生すべき記録（すなわち、再生開始時の残りの分の記録）のサーチを５分で行うように制御する例を挙げる。コンテンツ全体の記録時間長をＴ（分）、第一再生時間位置情報をＴ１（分）として取得すると、早送り／巻き戻し再生速度は、通常再生の（Ｔ−Ｔ１）／５倍となるように制御される。
【００３６】
一例として、コンテンツ全体の記録時間が２時間で当該のコンテンツが、再生開始時に既に１時間まで視聴してあった場合の早送り／巻き戻し再生速度の設定を考える。この場合には、記録時間長情報取得部により、記録時間長情報として１２０分、再生時間位置情報取得部により、第一再生時間位置情報として６０分という情報が取得される。速度制御部は、記録時間長情報（１２０分）、および、第一再生時間位置情報（６０分）とから、早送り／巻き戻し再生速度を求める。早送り／巻き戻し再生速度は、
（１２０―６０）／５＝１２
となり、１２倍速での早送り／巻き戻し再生を行うように、早送巻戻再生部を制御する。早送巻戻再生部は、コンテンツ取得部が取得したコンテンツの内容を、速度制御部の制御により、１２倍速で再生する。
【００３７】
<実施形態２の処理の流れ>
図７は、実施形態２での処理の流れの一例を示したものである。本実施形態におけるコンテンツ再生方法は、以下に示すステップよりなる。最初に、視聴するコンテンツ情報を取得するための処理を行う（コンテンツ取得ステップ  Ｓ０７１０）。次に、前記コンテンツ取得ステップで取得したコンテンツを通常速度で再生するための処理を行う（通常再生ステップ  Ｓ０７２０）。次に、前記コンテンツ取得ステップで取得したコンテンツの記録時間長情報を取得するための処理を行う（記録時間長情報取得ステップ  Ｓ０７３０）。次に、前記コンテンツ取得ステップで取得したコンテンツの第一再生時間位置情報を取得するための処理を行う（再生時間位置情報取得ステップ  Ｓ０７４０）。次に、前記記録時間長情報と第一再生時間位置情報とに基づいて、早送り／巻き戻し再生速度を制御するための処理を行い（速度制御ステップ  Ｓ０７５０）、前記コンテンツ取得ステップで取得したコンテンツを早送りしながら、再生し又は巻き戻ししながら再生するための処理を行う（早送巻戻再生ステップ  Ｓ０７６０）。
【００３８】
<実施形態２の効果>
本発明のコンテンツ再生装置においては、通常再生で視聴中のコンテンツ内の所望の映像を探すために早送り／巻き戻し再生の操作を行う場合に、コンテンツ全体の記録時間長情報ではなく、再生されるべき記録時間長に基づいてコンテンツに最適な速度を設定するため、より効率的なサーチ作業を行うことができる。
【００３９】
<<実施形態３>>
<実施形態３の概要>
本実施形態は、通常再生により視聴中のコンテンツに関して、早送り／巻き戻しにより映像をサーチする場合に、当該のコンテンツに最適な速度を設定して制御を行うコンテンツ再生装置である。コンテンツの通常再生から、早送り／巻き戻し再生への切り替え時の時間位置にも基づいて制御を行うため、コンテンツ全体の記録時間長にかかわらず、早送り／巻き戻し再生すべき映像の時間長に対応した処理が行えるので、より効率的な作業が行える。
【００４０】
<実施形態３の構成>
本実施形態の機能ブロックの一例は、実施形態２において図６で示したものと同様である。図６に示す本実施形態の「コンテンツ再生装置」（０６００）は、「コンテンツ取得部」（０６１０）と、「通常再生部」（０６２０）と、「早送巻戻再生部」（０６３０）と、「記録時間長情報取得部」（０６４０）と、「再生時間位置情報取得部」（０６５０）と、「速度制御部」（０６６０）とからなる。
【００４１】
本実施形態の構成は、実施形態２における構成と同様である。ただし、本実施形態は、コンテンツの通常再生開始時点に替えて、通常再生終了時点での再生時間位置情報にも基づいて、最適の早送り／巻き戻し速度を求めることを特徴とする。本実施形態においては、コンテンツの早送り、または、巻き戻しを開始する際に通常速度での再生を行っていた場合に、その通常速度での再生が終了した時点（すなわち、早送り／巻き戻し開始時点）での再生時間位置情報を第二再生時間位置情報として、前記再生時間位置情報取得部（０６５０）によって取得する。
【００４２】
前記速度制御部（０６６０）は、第二再生時間位置情報にも基づいて、前記早送巻戻再生部（０６３０）での再生速度の制御を行う。
【００４３】
<実施形態３の具体例の説明>
例えば、長時間視聴を続けたコンテンツに関して、再生開始時点からの残りの記録時間長に基づいて早送り／巻き戻し速度を設定すると、再生すべき記録は短いのに、速すぎる速度で早送り再生されてしまうようなことが考えられる。そこで、このコンテンツ再生装置では、コンテンツの再生を開始した時点からの残りの記録時間長ではなく、その通常速度での再生が終了した時点（すなわち、早送り／巻き戻し開始時点）からの残りの記録時間長に基づいて、早送り／巻き戻し速度を設定するように制御する。ここでは、再生時間位置情報は、コンテンツ先頭からの通常再生による経過時間を分単位で表すものとし、コンテンツの早送り／巻き戻し再生すべき記録（すなわち、再生終了時の残りの分の記録）のサーチを５分で行うように制御する例を挙げる。コンテンツ全体の記録時間長をＴ（分）、第二再生時間位置情報をＴ２（分）として取得すると、早送り／巻き戻し再生速度は、通常再生の  （Ｔ−Ｔ２）／５倍となるように制御される。
【００４４】
一例として、コンテンツ全体の記録時間長が２時間であり、１０分まで視聴してあったコンテンツを更に１時間視聴したあと早送り再生を行う場合の早送り／巻き戻し再生速度の設定を考える。この場合には、記録時間長情報取得部により、記録時間長情報として１２０分、再生時間位置情報取得部により、第二再生時間位置情報として７０分という情報が取得される。速度制御部は、記録時間長情報（１２０分）、および、第二再生時間位置情報（７０分）とから、早送り／巻き戻し再生速度を求める。早送り／巻き戻し再生速度は、
（１２０―７０）／５＝１０
となり、１０倍速での早送り／巻き戻し再生を行うように、早送巻戻再生部を制御する。早送巻戻再生部は、コンテンツ取得部が取得したコンテンツの内容を、速度制御部の制御により、１０倍速で早送り再生する。
【００４５】
<実施形態３の処理の流れ>
本実施形態におけるコンテンツ再生装置の処理の流れは、実施形態２における処理と同様である。ただし、再生時間位置情報取得ステップ、および、速度制御ステップにおいて、第一再生時間位置情報に替えて第二再生時間位置情報を用いる。その他の処理は、実施形態２における処理と同様である。
【００４６】
<実施形態３の効果>
本発明のコンテンツ再生装置においては、記録されたコンテンツ内の所望の映像を探すために早送り／巻き戻しの操作を行う場合に、早送り／巻き戻し再生すべき記録時間に基づいてコンテンツに最適な速度を設定するため、より効率的な作業を行うことができる。
【００４７】
<<実施形態４>>
<実施形態４の概要>
本実施形態は、早送り／巻き戻し再生を行っているコンテンツの時間位置に基づいて、最適な速度を設定して制御を行うコンテンツ再生装置である。早送り／巻き戻しの時間位置に基づいて制御を行うため、早送り／巻き戻し再生によってサーチすべき映像の時間長に対応した処理が行える。また、早送り／巻き戻し再生の進行状況により、早送り／巻き戻し再生速度を変更することにより、より効率的なサーチ作業が行える。
【００４８】
<実施形態４の構成>
本実施形態の機能ブロックの一例を図８に示す。図８に示す本実施形態の「コンテンツ再生装置」（０８００）は、「コンテンツ取得部」（０８１０）と、「通常再生部」（０８２０）と、「早送巻戻再生部」（０８３０）と、「記録時間長情報取得部」（０８４０）と、「早送巻戻時間位置情報取得部」（０８５０）と、「速度制御部」（０８６０）とからなる。
【００４９】
前記「早送巻戻時間位置情報取得部」（０８５０）を除いた構成は、実施形態１と共通であり、本実施形態は、早送り／巻き戻し再生を行っているコンテンツの早送巻戻時間位置情報にも基づいて、最適の早送り／巻き戻し再生速度を求めることを特徴とする。
【００５０】
「早送巻戻時間位置情報取得部」（０８５０）は、前記早送巻戻再生部での早送り、又は、巻き戻しを行っているコンテンツの時間位置情報である早送巻戻時間位置情報を取得するために設けられる。ここで、「早送巻戻時間位置情報」とは、早送り／巻き戻し再生を行っている映像がコンテンツ内のどの時点のものであるかを示す情報である。例えば、コンテンツの先頭から何分後の時点であるか、又は、コンテンツ全体の記録情報の何パーセントの時点であるか等で表すことが考えられる。
【００５１】
前記速度制御部（０８６０）は、早送巻戻時間位置情報にも基づいて、前記早送巻戻再生部（０８３０）での再生速度の制御を行う。
【００５２】
<実施形態４の具体例の説明> 
ここでは、早送巻戻時間位置情報は、コンテンツ先頭からの通常再生による経過時間を分単位で表すものとし、コンテンツの早送り／巻き戻し再生すべき記録（すなわち、早送巻戻再生開始時の残りの分の記録）のサーチを５分で行うように制御する例を挙げる。コンテンツ全体の記録時間長をＴ（分）、早送巻戻時間位置情報をＴｒ（分）として取得すると、早送り／巻き戻し再生速度は、通常再生の  （Ｔ−Ｔｒ）／５倍となるように制御される。
【００５３】
一例として、コンテンツ全体の記録時間長が２時間で、当該のコンテンツが、早送り／巻き戻し再生開始時に既に３０分まで視聴してあった場合の早送り／巻き戻し再生速度の設定を考える。この場合には、記録時間長情報取得部により、記録時間長情報として１２０分、早送巻戻時間位置情報取得部により、早送巻戻時間位置情報として３０分という情報が取得される。速度制御部は、記録時間長情報（１２０分）、および、早送巻戻時間位置情報（３０分）とから、早送り／巻き戻し再生速度を求める。早送り／巻き戻し再生速度は、
（１２０―３０）／５＝１８
となり、１８倍速での早送り／巻き戻し再生を行うように、早送巻戻再生部を制御する。早送巻戻再生部は、コンテンツ取得部が取得したコンテンツの内容を、速度制御部の制御により、１８倍速で再生する。また、早送り／巻き戻し再生の進行状況に合わせて、早送り／巻き戻し再生速度を変更していくことも考えられる。再生が進むに連れ、残りの記録時間は短くなるので、早送り／巻き戻し再生速度を遅くして見逃しをなくす等するためである。
【００５４】
早送り／巻き戻し再生速度の変更方式の例を図９に示す。例えば、経過時間に従って早送り／巻き戻し再生速度を落としてゆく（図９の(1)）、または、一定時間毎に早送巻戻時間位置情報を取得して速度設定をし直す（図９の(2)）等の制御が考えられる。
【００５５】
<実施形態４の処理の流れ>
図１０は、実施形態４での処理の流れの一例を示したものである。本実施形態におけるコンテンツ再生方法は、以下に示すステップよりなる。最初に、視聴するコンテンツ情報を取得するための処理を行う（コンテンツ取得ステップ  Ｓ１０１０）。次に、前記コンテンツ取得ステップで取得したコンテンツの記録時間長情報を取得するための処理を行う（記録時間長情報取得ステップ  Ｓ１０２０）。次に、前記コンテンツ取得ステップで取得したコンテンツの早送巻戻時間位置情報を取得するための処理を行う（早送巻戻時間位置情報取得ステップ  Ｓ１０３０）。次に、前記記録時間長情報と早送巻戻時間位置情報とに基づいて、早送り／巻き戻し再生速度を制御するための処理を行い（速度制御ステップ  Ｓ１０４０）、前記コンテンツ取得ステップで取得したコンテンツを早送りしながら、再生し又は巻き戻ししながら再生するための処理を行う（早送巻戻再生ステップ  Ｓ１０５０）。
【００５６】
<実施形態４の効果>
本発明のコンテンツ再生装置においては、記録されたコンテンツ内の所望の映像を探すために早送り／巻き戻しの操作を行う場合に、コンテンツの早送り／巻き戻し再生すべき記録時間に基づいてコンテンツに最適な速度を設定するため、より効率的な作業を行うことができる。また、早送り／巻き戻し再生の進行状況により、早送り／巻き戻し速度を変更することにより、より確実に目的とする映像を発見できる。
【００５７】
<<実施形態５>>
<実施形態５の概要>
本実施形態は、早送り再生速度と巻き戻し再生速度とを、別々に制御するものであり、それぞれ、早送り／巻き戻し再生すべき記録時間長に基づいて最適な速度を設定して制御を行うコンテンツ再生装置である。コンテンツの最初の方や、終端近くの視聴時にも、早送り／巻き戻し再生のどちらの場合にも最適な速度でのサーチが行える。
【００５８】
<実施形態５の構成>
本実施形態の機能ブロックの一例を図１１に示す。
【００５９】
図１１に示す本実施形態の「コンテンツ再生装置」（１１００）は、「コンテンツ取得部」（１１１０）と、「通常再生部」（１１２０）と、「早送巻戻再生部」（１１３０）と、「記録時間長情報取得部」（１１４０）と、「早送巻戻時間位置情報取得部」（１１５０）と、「速度制御部」（１１６０）とからなり、前記「速度制御部」（１１６０）は、「早送再生速度制御手段」（１１６１）と、「巻戻再生速度制御手段」（１１６２）とを有する。
【００６０】
前記「早送再生速度制御手段」（１１６１）と、「巻戻再生速度制御手段」（１１６２）とを除いた構成は、実施形態４と共通であり、本実施形態は、早送り再生速度と、巻き戻し再生速度とを別々に制御することを特徴とする。
【００６１】
「早送再生速度制御手段」（１１６１）は、早送り再生によって再生可能な記録時間長である早送再生可能記録時間長にも基づいて、前記早送巻戻再生部での早送り再生速度の制御を行うために設けられる。
【００６２】
「巻戻再生速度制御手段」（１１６２）は、巻き戻し再生によって再生可能な記録時間長である巻戻再生可能記録時間長にも基づいて、前記早送巻戻再生部での巻き戻し再生速度の制御を行うために設けられる。
【００６３】
<実施形態５の具体例の説明>
早送り速度と巻き戻し速度とを同じ値に設定していると、例えば、コンテンツの最初の方では早送りは最適の速度になるが、早く巻き戻そうとするとその速度では速すぎたり、また、コンテンツの終端の方では逆に、巻き戻しが遅すぎたりするようなことが考えられる。そこで、このコンテンツ再生装置では、早送りは早送再生可能記録時間長に、巻き戻しは巻戻再生可能記録時間長に、それぞれ基づいて、別々に早送り／巻き戻し再生速度を設定するように制御する。ここでは、早送巻戻時間位置情報は、コンテンツ先頭からの通常再生による経過時間を分単位で表すものとし、コンテンツの早送り／巻き戻し再生すべき記録のサーチを５分で行うように制御する例を挙げる。コンテンツ全体の記録時間長情報をＴ（分）、早送巻戻時間位置情報をＴｒ（分）として取得すると、早送り速度は、通常再生の（Ｔ−Ｔｒ）／５倍となるように、また、巻き戻し速度は、通常再生の  （Ｔｒ）／５倍となるように制御される。
【００６４】
一例として、コンテンツ全体の記録時間長が２時間であり、当該コンテンツが、早送り／巻き戻し再生開始時に、既に３０分まで視聴してあった場合の早送り／巻き戻し再生速度の設定を考える。この場合には、記録時間長情報取得部により、記録時間長情報として１２０分、早送巻戻時間位置情報取得部により、早送巻戻時間位置情報として３０分という情報が取得される。早送再生速度制御手段は、記録時間長情報（１２０分）、および、早送巻戻時間位置情報（３０分）とから、早送り再生速度を求める。早送り再生速度は、
（１２０−３０）／５＝１８
となり、１８倍速での早送り再生を行うように、早送巻戻再生部を制御する。巻戻再生速度制御手段は、記録時間長情報（１２０分）、および、早送巻戻時間位置情報（３０分）とから、巻き戻し再生速度を求める。巻き戻し再生速度は、
３０／５＝６
となり、６倍速での巻き戻し再生を行うように、早送巻戻再生部を制御する。早送巻戻再生部は、コンテンツ取得部が取得したコンテンツの内容を、早送再生速度制御手段の制御により１８倍速で早送り再生する。もしくは、巻戻再生速度制御手段の制御により６倍速で巻き戻し再生する。
【００６５】
<実施形態５の処理の流れ>
本実施形態におけるコンテンツ再生装置の処理の流れの一例は、実施形態４での処理と同様である。ただし、速度制御ステップにおいて、早送り再生速度と巻き戻し再生速度とを別々に制御する点が異なる。その他の処理は、実施形態４における処理と同様である。
【００６６】
<実施形態５の効果>
本実施形態は、早送り再生速度と巻き戻し再生速度とを、別々に制御することにより、  コンテンツの最初の方や、終端近くの視聴時にも、早送り再生／巻き戻し再生のどちらの場合も最適な速度でのサーチが行える。
【００６７】
<<実施形態６>>
<実施形態６の概要>
本実施形態は、早送り再生／巻き戻し再生速度の算出にかかわるパラメータを、視聴者が設定できるコンテンツ再生装置である。視聴者が、任意の数値を設定することにより、視聴者の好みに応じた、作業しやすい早送り／巻き戻し速度設定が行える。
【００６８】
<実施形態６の構成>
本実施形態の機能ブロックの一例を図１２に示す。図１２に示す本実施形態の「コンテンツ再生装置」（１２００）は、「コンテンツ取得部」（１２１０）と、「通常再生部」（１２２０）と、「早送巻戻再生部」（１２３０）と、「記録時間長情報取得部」（１２４０）と、「速度制御部」（１２５０）とからなり、前記「速度制御部」（１２５０）は、「速度制御パラメータ取得手段」（１２５１）と、「パラメータ依存制御手段」（１２５２）とを有する。
【００６９】
前記「速度制御パラメータ取得手段」と、「パラメータ依存制御手段」とを除いた構成は、実施形態１と共通であり、本実施形態は、早送り／巻き戻し再生速度の設定にかかわるパラメータを、視聴者が設定できることを特徴とする。
【００７０】
「速度制御パラメータ取得手段」（１２５１）は、速度制御パラメータを取得するために設けられる。ここで「速度制御パラメータ」とは、視聴者が、早送り／巻き戻し速度制御を自分の好みに従って行うために設定するものであり、例えば、以下のようなものが考えられる：
・コンテンツ全体を再生するための時間として、５分、１０分などと一定の時間を規定
する
・コンテンツの記録時間長によって、再生にかける時間を変更する場合にはコンテンツ
の記録時間長、および、それに対応する再生時間を規定する
などである。
【００７１】
「パラメータ依存制御手段」（１２５２）は、前記速度制御パラメータにも基づいて、前記早送巻戻再生部での早送り／巻き戻し再生速度の制御を行うために設けられる。前記速度制御パラメータの取得のためには、例えば、当該コンテンツ再生装置にパラメータ保持領域を設け、視聴者が設定した速度制御パラメータ情報を格納しておく、または、早送り／巻き戻し再生の指示時に、速度制御パラメータ情報も指示するなどの方式が考えられる。具体的には、前記速度制御部において、取得された記録時間長情報に基づく早送り／巻き戻し再生速度設定時、以下のような処理が行われる。一例として、速度制御パラメータ設定のためのパラメータ保持領域を設け、当該領域に、コンテンツ全体のサーチを１０分で行うような速度制御パラメータ情報が設定されている場合を考える。速度制御パラメータ取得手段は、パラメータ保持領域より、‘コンテンツ全体を１０分でサーチする’という速度制御パラメータを取得する。パラメータ依存制御手段は、記録時間長情報と速度制御パラメータとに基づいて、早送り／巻き戻し再生速度を求め、その速度で早送巻戻再生部を制御する。
【００７２】
例えば、記録時間長情報が１２０分であった場合には、早送り／巻き戻し再生速度は、
１２０／１０＝１２
となり、１２倍速での早送り／巻き戻し再生を行うように早送巻戻再生部を制御する。また、記録時間長情報が１８０分であった場合には、早送り／巻き戻し再生速度は、
１８０／１０＝１８
となり、１８倍速での早送り／巻き戻し再生を行うように早送巻戻再生部を制御する。同様に、例えば、実施形態５のように実施し、速度制御パラメータとして‘コンテンツの早送り／巻き戻し再生すべき記録を５分でサーチする’という設定がある場合を考える。実施形態５においては、早送り再生速度と巻き戻し再生速度とを別々に制御するものであるため、パラメータ依存制御手段は、記録時間長情報と早送巻戻時間位置情報、および、速度制御パラメータに基づいて、早送り再生速度と巻き戻し再生速度とを別々に求める。記録時間長情報が１２０分であり、早送巻戻時間位置情報が５０分であった場合には、早送り再生速度は、
（１２０−５０）／５＝１４
となり、１４倍速での早送り再生が行われ、巻き戻し再生速度は、
５０／５＝１０
となり、１０倍速での巻き戻し再生が行われる。
【００７３】
<実施形態６の処理の流れ>
本実施形態におけるコンテンツ再生装置の処理の流れの一例は、実施形態１から５における処理と同様である。ただし、速度制御ステップにおいて、速度制御パラメータが取得されて、早送り／巻き戻し再生速度の設定に使用される点が異なる。その他の処理は、実施形態１から５における処理と同様である。
【００７４】
<実施形態６の効果>
本実施形態は、早送り／巻き戻し再生速度の算出にかかわるパラメータを、視聴者が設定できることにより、視聴者の好みに応じた、作業しやすい早送り／巻き戻し速度設定が行える。
【００７５】
<<実施形態７>>
<実施形態７の概要>
本実施形態は、早送り／巻き戻し再生速度を、コンテンツ全体の記録時間長ではなく、部分的記録時間長（チャプター等）を用いて設定するコンテンツ再生装置である。コンテンツ全体ではなく、サーチすべき範囲に適応した処理を行うことにより、より効率的なサーチ作業が行える。
【００７６】
<実施形態７の構成>
本実施例の機能ブロックの一例は、実施形態１において図２で示したものと同様である。
【００７７】
図２に示す本実施形態の「コンテンツ再生装置」（０２００）は、「コンテンツ取得部」（０２１０）と、「通常再生部」（０２２０）と、「早送巻戻再生部」（０２３０）と、「記録時間長情報取得部」（０２４０）と、「速度制御部」（０２５０）とからなる。
【００７８】
本実施形態の構成は、実施形態１における構成と同様である。ただし、本実施形態は、コンテンツの記録時間長情報に替えて、コンテンツの部分的記録時間長情報を用いることを特徴とする。ここで、「部分的記録時間長情報」とは、コンテンツの部分的な記録時間長を示す情報であり、例えば、チャプターに分割されて管理されているコンテンツの場合の、各チャプターの記録時間長を意味する本実施形態においては、実施形態１から６における記録時間長情報に替えて部分的記録時間長情報を使用して、早送り／巻き戻し再生速度を設定する。チャプター管理されたコンテンツは、頭出し等の操作によって、チャプター単位での再生が可能であり、映像のサーチもチャプター内の映像を目的として行われることが多い。そのため、早送り／巻き戻し再生速度の設定に関しても、チャプター単位で行う方が効率の良い作業が行える。
【００７９】
<実施形態７の処理の流れ>
本実施形態におけるコンテンツ再生装置の処理の流れの一例は、実施形態１から６における処理と同様である。ただし、記録時間長情報取得ステップ、および、速度制御ステップにおいて、記録時間長情報に替えて、部分的記録時間長情報が使用される点が異なる。その他の処理は、実施形態１から６における処理と同様である。
【００８０】
<実施形態７の効果>
本実施形態は、早送り／巻き戻し再生速度の設定に際して、コンテンツ全体の記録時間長情報に替えて、部分的記録時間長情報を用いることにより、コンテンツ全体ではなく、サーチする範囲に適応した処理が行えるので、より効率的なサーチ作業が行える。
【産業上の利用可能性】
【００８１】
本発明によれば、コンテンツの視聴者が、当該コンテンツ内の所望の映像を求めて早送り／巻き戻し再生を行う場合に、コンテンツごとに最適な早送り／巻き戻し速度による再生を行うことができ、コンテンツ再生装置として有用である。
【図面の簡単な説明】
【００８２】
【図１】実施形態１を説明するための概念図
【図２】実施形態１、７を説明するための機能ブロック図
【図３】実施形態１を説明するための機能ブロック図
【図４】実施形態１を説明するための具体的機能ブロック図
【図５】実施形態１の処理の流れを説明する図
【図６】実施形態２、３を説明するための機能ブロック図
【図７】実施形態２の処理の流れを説明する図
【図８】実施形態４を説明するための機能ブロック図
【図９】実施形態４を説明するグラフ
【図１０】実施形態４の処理の流れを説明する図
【図１１】実施形態５を説明するための機能ブロック図
【図１２】実施形態６を説明するための機能ブロック図
【符号の説明】
【００８３】
０２００    コンテンツ再生装置
０２１０    コンテンツ取得部
０２２０    通常再生部
０２３０    早送巻戻再生部
０２４０    記録時間長情報取得部
０２５０    速度制御部
【図１】
2006196052.tif 000003
【図２】
2006196052.tif 000004
【図３】
2006196052.tif 000005
【図４】
2006196052.tif 000006
【図５】
2006196052.tif 000007
【図６】
2006196052.tif 000008
【図７】
2006196052.tif 000009
【図８】
2006196052.tif 000010
【図９】
2006196052.tif 000011
【図１０】
2006196052.tif 000012
【図１１】
2006196052.tif 000013
【図１２】
2006196052.tif 000014